(57)【特許請求の範囲】
【請求項１】
対象のヘモグロビンレベルを測定する医療システムであって、
夫々の血液色領域がヘモグロビンレベルに対応し、該対応するヘモグロビンレベルにある血液の色を表すよう彩色されている複数の血液色領域を含むヘモグロビンカラースケール（ＨｂＣＳ）をイメージングシステムの視野（ＦＯＶ）に投影するよう構成されるプロジェクションシステムと、
前記投影されたＨｂＣＳ及び前記対象の血液の画像を取得するよう構成される前記イメージングシステムと、
前記取得された画像において前記ＨｂＣＳの血液色領域及び前記血液を含む領域を識別し、前記血液と前記ＨｂＣＳの前記識別された血液色領域との比較に基づき前記対象の前記ヘモグロビンレベルを推定するようプログラミングされる少なくとも１つのプロセッサと
を有する医療システム。
【請求項２】
前記少なくとも１つのプロセッサは更に、
前記ＨｂＣＳを、前記ＦＯＶ内にある、前記対象の出血性創傷又は開口部上に投影するようプログラミングされる、
請求項１に記載の医療システム。
【請求項３】
前記少なくとも１つのプロセッサは更に、
前記取得された画像において色領域を識別し、
前記取得された画像における前記識別された色領域から候補ＨｂＣＳを生成し、
類似性スコアを得るよう前記候補ＨｂＣＳの夫々を前記ＨｂＣＳと比較し、
前記類似性スコアに基づき前記ＨｂＣＳと最も類似する候補ＨｂＣＳを選択する
ようプログラミングされ、
前記選択された候補ＨｂＣＳは、前記取得された画像において前記ＨｂＣＳの前記血液色領域を識別する、
請求項１又は２に記載の医療システム。
【請求項４】
前記少なくとも１つのプロセッサは更に、
前記ＨｂＣＳの前記識別された血液色領域に基づき、前記取得された画像において可視的でない前記ＨｂＣＳの血液色領域を識別し、
前記取得された画像において可視的でない前記ＨｂＣＳの前記識別された血液色領域に基づき、前記対象の前記ヘモグロビンレベルを推定する
ようプログラミングされる、
請求項１乃至３のうちいずれか一項に記載の医療システム。
【請求項５】
前記少なくとも１つのプロセッサは更に、
前記対象の血液に対応する前記取得された画像における色領域を識別し、
前記対象の血液に対応する前記識別された血液色領域の色を前記ＨｂＣＳの前記識別された血液色領域の夫々の色と比較して、前記ＨｂＣＳの最も類似した血液色領域を識別する
ようプログラミングされる、
請求項１乃至４のうちいずれか一項に記載の医療システム。
【請求項６】
前記少なくとも１つのプロセッサは更に、
投影されるべき色と前記取得された画像における色との間の色のずれを補正する較正パラメータを生成するようプログラミングされる、
請求項１乃至５のうちいずれか一項に記載の医療システム。
【請求項７】
前記投影されたＨｂＣＳ及び前記対象の血液の前記取得された画像を医療専門家へ無線により送信する送信器を更に有する
請求項１乃至６のうちいずれか一項に記載の医療システム。
【請求項８】
推定されたヘモグロビンレベルを表示するように構成されるディスプレイと、
取得された画像を遠隔装置に送信する通信装置と
のうち少なくとも１つを更に有する
請求項１乃至７のうちいずれか一項に記載の医療システム。
【請求項９】
プロジェクションシステムと、イメージングシステムと、少なくとも１つのプロセッサとを有する、対象のヘモグロビンレベルを測定する医療システムの作動方法であって、
前記プロジェクションシステムが、夫々の血液色領域がヘモグロビンレベルに対応し、該対応するヘモグロビンレベルにある血液の色を表すよう彩色されている複数の血液色領域を含むヘモグロビンカラースケール（ＨｂＣＳ）をイメージングシステムの視野（ＦＯＶ）に投影するステップと、
前記イメージングシステムが、前記投影されたＨｂＣＳ及び前記対象の血液の画像を前記イメージングシステムを用いて取得するステップと、
前記少なくとも１つのプロセッサが、
前記取得された画像において前記ＨｂＣＳの血液色領域及び前記血液を含む領域を識別するステップと、
前記血液と前記ＨｂＣＳの前記識別された血液色領域との比較に基づき前記対象の前記ヘモグロビンレベルを推定するステップと
を有する作動方法。
【請求項１０】
前記少なくとも１つのプロセッサが、前記ＨｂＣＳを、前記ＦＯＶ内にある、前記対象の出血性創傷又は開口部上に投影するステップ
を更に有する請求項９に記載の作動方法。
【請求項１１】
前記少なくとも１つのプロセッサが、前記取得された画像において、該取得された画像における色の連続した領域である色領域を識別するステップと、
前記少なくとも１つのプロセッサが、前記取得された画像における前記識別された色領域から候補ＨｂＣＳを生成するステップと、
前記少なくとも１つのプロセッサが、類似性スコアを得るよう前記候補ＨｂＣＳの夫々を前記ＨｂＣＳと比較するステップと、
前記少なくとも１つのプロセッサが、候補ＨｂＣＳが一致する前記ＨｂＣＳの色領域の数を含む前記類似性スコアに基づき前記ＨｂＣＳと最も類似する候補ＨｂＣＳを選択するステップと
を更に有し、
前記選択された候補ＨｂＣＳは、前記取得された画像において前記ＨｂＣＳの前記血液色領域を識別する、
請求項９又は１０に記載の作動方法。
【請求項１２】
前記少なくとも１つのプロセッサが、前記ＨｂＣＳの前記識別された血液色領域に基づき、前記取得された画像において可視的でない前記ＨｂＣＳの血液色領域を識別するステップと、
前記少なくとも１つのプロセッサが、前記取得された画像において可視的でない前記ＨｂＣＳの前記識別された血液色領域に基づき、前記対象の前記ヘモグロビンレベルを推定するステップと
を更に有する請求項９乃至１１のうちいずれか一項に記載の作動方法。
【請求項１３】
前記少なくとも１つのプロセッサが、前記対象の血液に対応する前記取得された画像における色領域を識別するステップと、
前記少なくとも１つのプロセッサが、前記対象の血液に対応する前記識別された血液色領域の色を前記ＨｂＣＳの前記識別された血液色領域の夫々の色と比較して、前記ＨｂＣＳの最も類似した血液色領域を識別するステップと、
前記少なくとも１つのプロセッサが、前記ＨｂＣＳの前記最も類似した血液色領域から前記対象の前記ヘモグロビンレベルを推定するステップと
を更に有する請求項９乃至１２のうちいずれか一項に記載の作動方法。
【請求項１４】
前記少なくとも１つのプロセッサが、投影されるべき色と前記取得された画像における色との間の色のずれを補正する較正パラメータを生成するステップを更に有する請求項９乃至１３のうちいずれか一項に記載の作動方法。
【発明の詳細な説明】
【技術分野】
【０００１】
本願は、概して、患者モニタリングに関する。それは、アクシデントの最中にヘモグロビンレベルを検出することに関連して特定の用途を見出し、それに特に関連して記載される。しかしながら、それはまた、他の利用シナリオにおいても用途を見出し、必ずしも前述の用途に制限されないことが理解されるべきである。
【背景技術】
【０００２】
ヘモグロビンは、アクシデントの最中に対象の血中濃度を評価するために使用される重要なパラメータである。しかしながら、ヘモグロビンレベルを測定するための既知の検査は、実験室ベースであるか、あるいは、特殊材料を必要とするかのいずれかであり、このことは、それらを事故現場での使用に適さないものとする。更に、ヘモグロビンレベルを測定するための既知の検査は、通常は、血液サンプルの取り扱いを必要とする。血液サンプルを取り扱うことは、予防措置が採られない限り、血液感染性の病気（例えば、後天性免疫不全症候群（ＡＩＤＳ）、Ｂ型肝炎、等）に罹患する固有のリスクをもたらすが、予防措置は、事故現場において可能でないことがある。
【０００３】
低リソース環境においてヘモグロビンレベルを測定するための既知の検査は、世界保健機関（ＷＨＯ）によって考案された。検査は、図１に示されているヘモグロビンカラースケール（Hemoglobin  Color  Scale）（ＨｂＣＳ）、及びＨｂＣＳが設計された特定の様々な検査用紙を使用する。血液の滴が、染色を形成するよう検査用紙上に置かれる。臨床医は、次いで、染色をＨｂＣＳ上の穴の下及び／又は中に置くことによって、染色をＨｂＣＳにおける６つの色と比較する。しかしながら、この検査は多数の課題を伴う。
【０００４】
ＷＨＯ検査の結果は、主観的であり、環境条件（例えば、照明の変化）に依存して変化する。更に、ＷＨＯ検査は、血液の量が、それに必要とされる単滴の血液よりもずっと多いので、通常は、事故現場での使用に適さない。大量の血液は、検査用紙をびしょ濡れにして、それを保持し使用することを困難にする。更に、ＨｂＣＳ及び検査用紙は、事故現場で容易に入手可能でないことがある。
【発明の概要】
【発明が解決しようとする課題】
【０００５】
本願は、上記の問題及び他を解消する新しい改善された方法及びシステムを提供する。
【課題を解決するための手段】
【０００６】
一態様に従って、対象のヘモグロビンを測定する医療システムが提供される。医療システムは少なくとも１つのプロセッサを有する。少なくとも１つのプロセッサは、ヘモグロビンカラースケール（ＨｂＣＳ）をイメージングシステムの視野（field  of  view）（ＦＯＶ）に投影するようプログラミングされる。ＨｂＣＳは複数の血液色領域を含み、各血液色領域は、ヘモグロビンレベルに対応しており、対応するヘモグロビンレベルにある血液の色を表すよう彩色されている。少なくとも１つのプロセッサは更に、投影されたＨｂＣＳ及び対象の血液の画像をイメージングシステムを用いて取得するようプログラミングされる。
【０００７】
他の態様に従って、対象のヘモグロビンレベルを測定する医療方法が提供される。ヘモグロビンカラースケール（ＨｂＣＳ）は、イメージングシステムの視野（ＦＯＶ）に投影される。ＨｂＣＳは複数の血液色領域を含み、各血液色領域は、ヘモグロビンレベルに対応しており、対応するヘモグロビンレベルにある血液の色を表すよう彩色されている。投影されたＨｂＣＳ及び対象の血液の画像は、イメージングシステムを用いて取得される。ＨｂＣＳの血液色領域は、取得された画像において識別され、対象のヘモグロビンレベルは、ＨｂＣＳの識別された血液色領域に基づき推定される。
【０００８】
他の態様に従って、対象のヘモグロビンレベルを測定する医療システムが提供される。医療システムは、ヘモグロビンカラースケール（ＨｂＣＳ）をイメージングシステムの視野（ＦＯＶ）に投影する投影システムを含む。ＨｂＣＳは複数の血液色領域を含み、各血液色領域は、ヘモグロビンレベルに対応しており、対応するヘモグロビンレベルにある血液の色を表すよう彩色されている。医療システムは、投影されたＨｂＣＳ及び対象の血液の画像を取得するイメージングシステムを更に含む。更なる医療システムは、取得された画像においてＨｂＣＳの血液色領域を識別し、ＨｂＣＳの識別された血液色領域に基づきヘモグロビンレベルを推定するよう構成されるヘモグロビンモジュールを更に含む。
【０００９】
１つの利点は、実験室を使用しないヘモグロビンレベルの測定にある。
【００１０】
他の利点は、特殊材料を必要としないヘモグロビンレベルの測定にある。
【００１１】
他の利点は、血液サンプルを扱うことを必要としないヘモグロビンレベルの測定にある。
【００１２】
他の利点は、ヘモグロビンレベルの客観的な評価にある。
【００１３】
本発明の更なる他の利点は、以下の詳細な説明を読み理解することで当業者に認識されるであろう。
【００１４】
本発明は、様々な構成要素及び構成要素の配置において、且つ、様々なステップ及びステップの配置において、形を成してよい。図面は、単に好適な実施形態を説明することを目的とし、本発明を限定するものとして解釈されるべきではない。
【図面の簡単な説明】
【００１５】
【図１】世界保健機関（ＷＨＯ）によって使用される紙製のヘモグロビンカラースケール（ＨｂＣＳ）カードの例を表す。
【図２】本願の態様に従ってヘモグロビンレベルを測定するモバイル装置のブロック図を表す。
【図３】本願の態様に従ってヘモグロビンレベルを測定する方法を表す。
【図４】本願の態様に従う投影されたＨｂＣＳ表示の例を表す。
【図５】図２のモバイル装置のための利用シナリオを表す。
【発明を実施するための形態】
【００１６】
モバイル装置は、様々なヘルスケア用途のために定期的に使用されており、通常はカメラを含む。近年、カメラ−プロジェクタ・システム（例えば、ニコンＣＯＯＬＰＩＸ  Ｓ１２００ＰＪ）が商業上入手可能になっている。カメラ−プロジェクション・システムは直ぐにスマートフォンにおいて利用可能になるであろうことが期待される。本願は、ヘモグロビンレベルを測定するためにカメラ−プロジェクタ・システムを使用して、ヘモグロビンレベルを測定するための既知の検査の上記の制限を解消することを提案する。
【００１７】
図２を参照して、モバイル装置１０は、カメラ−プロジェクタ・システム１２、１４を含む。モバイル装置１０は、例えば、スマートフォン、パーソナルデジタルアシスタント、デジタルカメラ、タブレットコンピュータ、パーソナルナビゲーションデバイス、等である。カメラ−プロジェクタ・システム１２、１４は、イメージングシステム１２及びプロジェクションシステム１４の両方を含む。イメージングシステム１２及びプロジェクションシステム１４は、独立して作動するよう構成される。
【００１８】
イメージングシステム１２は、視野（ＦＯＶ）内の画像を表現する画像データ及び／又は信号を生成する。例えば、イメージングシステム１２は、電荷結合デバイス（charge-coupled  device）（ＣＣＤ）と、ＦＯＶからの光の焦点をＣＣＤに合わせるレンズとから形成され得る。プロジェクションシステム１４は、コントローラ１６、１８からの画像データ及び／又は信号に従って画像をＦＯＶに投影する。例えば、プロジェクションシステム１４は、ＬＥＤのアレイと、アレイからの光の焦点をＦＯＶに合わせるレンズとから形成され得る。
【００１９】
コントローラ１６、１８は、対象のヘモグロビンレベルを測定するようカメラ−プロジェクタ・システム１２、１４を制御する。コントローラ１６、１８は、少なくとも１つのプロセッサ１６及び少なくとも１つのプログラムメモリ１８を含む。プログラムメモリ１８は、プロセッサ１６によって実行されるプロセッサ実行可能命令を含む。プロセッサ実行可能命令は、図３の方法５０に従って血液サンプルのヘモグロビンレベルを測定するようプロセッサ１６を制御するヘモグロビンモジュール２０を含む。
【００２０】
なお、方法５０を開始する前に、モバイル装置１０は、対象の血液がイメージングシステム１２のＦＯＶ内にあるように位置付けられる。例えば、モバイル装置１０は、ＦＯＶが、例えば、衝突又はアクシデントによって引き起こされた対象の開放出血性創傷を含むように、位置付けられ得る。他の例として、対象が経膣分娩に耐えている場合に、モバイル装置１０は、分娩後出血において失われた血液の量を推定する目的で、ＦＯＶが分娩第３期後に膣から出ている血液溜まりを含むように位置付けられ得る。代替的に、対象の血液は、イメージングシステム１２のＦＯＶ内に位置付けられ得る。
【００２１】
図３を参照して、モバイル装置１０又は対象の血液を位置合わせした後、プロジェクションシステム１４は、ヘモグロビンカラースケール（ＨｂＣＳ）２２をイメージングシステム１２のＦＯＶ内に投影５２するよう制御される。通常は、ＨｂＣＳ２２は、対象の血液の近くに、その隣に、又はその上に投影される。例えば、ＨｂＣＳ２２は、対象の開放出血性創傷の上に、あるいは、対象が経膣分娩に耐えている場合には、分娩第３期後に膣から出ている血液溜まりの上に、投影され得る。他の例として、ＨｂＣＳ２２は、対象の血液の近くの白い用紙の上に投影され得る。
【００２２】
ＨｂＣＳ２２は、モバイル装置１０の記憶メモリ２４に記憶されており、ヘモグロビンレベルのスケールにおいて配置されている複数の異なった血液色領域２６ａ〜ｆを含む。この例は図４において示されている。各血液色領域２６ａ〜ｆは、異なったヘモグロビンレベルの下での血液の色（例えば、赤の濃さ）に対応する。幾つかの実施形態において、血液色領域２６ａ〜ｆは、赤−緑−青（red-green-blue）（ＲＧＢ）カラーモデル（例えば、赤の異なる濃さ）又は色相−彩度−明度（hue-saturation-value）（ＨＳＶ）カラーモデルにおける異なる色である。通常は、ＨｂＣＳ２２は、図４に示されるように、４グラム毎デシリットル（ｇ／ｄＬ）から１４ｇ／ｄＬまで等しく間隔をあけられたヘモグロビンレベルに対応する６つの異なった血液色領域２６ａ〜ｆを含む。ＨｂＣＳ２２の血液色領域２６ａ〜ｆは、血液色領域２６ａ〜ｆの間にギャップが存在するように、更に相隔てられる。これは、例えば、ほとんどのモバイル装置に特有である制限された演算能力に起因した、ＨｂＣＳ２２の取得された画像において血液色領域２６ａ〜ｆを識別することに伴う課題を、多少とも解決する。
【００２３】
必須でないが、ＨｂＣＳ２２は、通常は、ヘモグロビンを測定するために世界保健機関（ＷＨＯ）によって使用されるヘモグロビンカラースケール（ＨｂＣＳ）の変形である。ＷＨＯによって使用されるＨｂＣＳの例は、図１において示されている。ＷＨＯによって使用されるＨｂＣＳと対照的に、記憶メモリ２４にあるＨｂＣＳ２２は、血液色領域２６ａ〜ｆの中心内に穴を含まない。更に、血液色領域２６ａ〜ｆは、血液色領域２６ａ〜ｆの間にギャップが存在するように相隔てられている。
【００２４】
ＨｂＣＳ２２はまた、モバイル装置１０及びイメージングシステム１２が赤の異なる濃さを識別することに更に敏感であることができるので、ＷＨＯによって使用されるＨｂＣＳにおいて存在する６よりも多い赤の色合いを含むよう増補され得る。例えば、それらの付加的な赤の色合いは、２つの隣り合う赤の色合いの間のヘモグロビンの平均値に対応してよい。
【００２５】
再び図３を参照すると、ＨｂＣＳ２２をＦＯＶに投影した後、イメージングシステム１２は、投影されたＨｂＣＳ及び対象の血液の１又はそれ以上の画像を取得５４するよう制御される。次いで、ＨｂＣＳ２２の血液色領域２６ａ〜ｆは、取得された画像において、通常は、インテリジェント画像処理ルーチンを用いて自動的に、識別５４される。通常はローカルで実行されるが、インテリジェント画像処理ルーチンは、遠隔コンピューティングシステムによって実行されてよく、遠隔コンピューティングシステム及び医療装置１０は集合的に医療システムを形成する。代替的に、ＨｂＣＳ２２の血液色領域２６ａ〜ｆは、画像において手動により識別される。
【００２６】
ＨｂＣＳ２２が対象の血液上に直接投影される場合に、ＨｂＣＳ２２の１つの又は２つの隣り合う血液色領域２６ａ〜ｆは、対象の血液の色に一致する可能性が高い。従って、残りの血液色領域２６ａ〜ｆのみが画像において可視的であり、セグメント化される。これは、画像においてＨｂＣＳ２２の血液色領域２６ａ〜ｆを識別する場合に考慮されるべきである。
【００２７】
ＨｂＣＳ２２の血液色領域２６ａ〜ｆを自動的に識別するための１つのアプローチは、画像内の全ての色領域を識別することである。画像の色領域は、単一の色（例えば、ＲＧＢ又はＨＳＶカラーモデルにおける）又は色の濃淡を有する画像の連続した領域であることがある。色領域は類似した色（例えば、ＲＧＢ又はＨＳＶカラーモデルにおける）の連続した領域であることができることも考えられる。そのような状況において、単色の色領域は最初に識別され、次いで、その単色の色領域は、色に基づきクラスタ化される。クラスタの単色の色領域は、クラスタ色領域によって置換される。通常は、血液色領域２６ａ〜ｆは、ＲＧＢカラーモデルからＨＳＶカラーモデルへ画像を変換した後に識別される。従って、血液色領域２６ａ〜ｆは、ＨＳＶカラーモデルを用いて通常は識別される。
【００２８】
クラスタ化は、例えば、画像の単色の色領域の夫々を、ＲＧＢカラーモデルに従って赤、緑、及び青の座標としてモデリングすることによって、実行され得る。次いで、点は、何らかのよく知られているクラスタリングルーチンを用いてクラスタ化され得る。更に、クラスタ化は、ＨｂＣＳ２２のうちの異なった色に属する色を区別する必要がある。言い換えると、クラスタ化は、ＨｂＣＳ２２のうちの色に対応する単色の色領域をクラスタ化してはならない。
【００２９】
画像の色領域を識別し、任意にクラスタ化した後、ＨｂＣＳ２２の血液色領域２６ａ〜ｆは、画像の色領域と最もよく照合される。照合は、画像における全ての候補ＨｂＣＳを余すところなく生成することによって、実行され得る。候補ＨｂＣＳは、画像における複数の検出された色領域の一意の組み合わせを有する。通常は、候補ＨｂＣＳの検出された色領域の数は、ＨｂＣＳ２２の血液色領域の数を超えない。更に、候補ＨｂＣＳの色領域の数は、画像において可視的でないＨｂＣＳ２２の血液色領域２６ａ〜ｆを考慮に入れるよう所定の範囲内で変化することができる。
【００３０】
候補ＨｂＣＳは、ＨｂＣＳ２２と比較され、ＨｂＣＳ２２及び候補ＨｂＣＳの１又はそれ以上の特徴を用いて類似性スコアを決定される。それらの特徴は、１）ＨｂＣＳの色領域の互いに対する配置（すなわち、レイアウト）、２）色領域の形、及び３）色領域の色、のうちの１又はそれ以上を含むことができる。例えば、ＨｂＣＳ２２のレイアウトは、候補ＨｂＣＳのレイアウトと比較され得、より高い類似性スコアは、類似したレイアウトを持つ候補ＨｂＣＳに割り当てられ得る。
【００３１】
類似性スコアはまた、照合されるＨｂＣＳ２２の血液色領域２６ａ〜ｆのうちのより多くと一致する候補ＨｂＣＳに対して、より重み付けされ得る。例えば、２つの候補ＨｂＣＳを考える。候補ＨｂＣＳのうちの一方がＨｂＣＳ２２のうちの５つの血液色領域２６ａ〜ｆと一致し、他方はＨｂＣＳ２２のうちの３つの血液色領域２６ａ〜ｆとしか一致しないが、類似性スコアがさもなければ同じである場合に、ＨｂＣＳ２２のうちの５つの血液色領域２６ａ〜ｆと一致する候補ＨｂＣＳの類似性スコアはより大きい。
【００３２】
照合のためにＨｂＣＳ２２の血液色領域２６ａ〜ｆの色を使用する場合に、較正パラメータは、画像の色をより良く照合するようＨｂＣＳ２２の血液色領域２６ａ〜ｆの色を調整するために用いられてよく、あるいは、その逆も同様である。これは、イメージングシステム１２及び／又はプロジェクションシステム１４によって再現される色がプロジェクションシステム１４に入力されるのと同じ色でないことがあるために、有用であり得る。較正は、ＨｂＣＳ２２をＦＯＶに投影し、投影されたＨｂＣＳの画像を取得し、取得された画像において血液色領域２６ａ〜ｆを手動により識別し、ＨｂＣＳ２２の血液色領域２６ａ〜ｆの色と、画像における識別された色領域の色とのずれに基づき、較正パラメータを決定することによって、実行され得る。
【００３３】
全ての候補ＨｂＣＳを評価した後、最も類似する候補ＨｂＣＳ（類似性スコアから特定される。）は、ヘモグロビンのレベルを推定５８するために使用される。これは、画像において可視的でないＨｂＣＳの１又はそれ以上の血液色領域２６ａ〜ｆを識別しようと試みることを含む。そのような血液色領域２６ａ〜ｆが存在する場合に、ヘモグロビンのレベルの推定は、ＨｂＣＳ２２のうちのそれらの不可視の血液色領域２６ａ〜ｆに関連する既知のヘモグロビンレベルに基づき行われる。例えば、推定されたヘモグロビンレベルは、不可視の血液色領域２６ａ〜ｆのヘモグロビンレベルの平均であることができる。
【００３４】
不可視の血液色領域２６ａ〜ｆが存在する場合に（ＨｂＣＳ２２が対象の血液の近くの白い用紙片上に投影されたため）、対象の血液に対応する画像における色領域は識別され、画像において識別されたＨｂＣＳ２２の血液色領域２６ａ〜ｆと色により比較される。それに基づき、ＨｂＣＳ２２のうちの最もよく一致する血液色領域２６ａ〜ｆが識別される。血液は、手動により又は自動的に識別され得る。後者に関して、血液を示す特徴は、検出された色領域から取り出され、色領域が血液を含む可能性を評価するために使用される。かかる特徴は、例えば、色、形、等を含むことができる。最も可能性が高い検出された色領域は、ヘモグロビンレベルを推定するために使用され得る。
【００３５】
再び図２を参照すると、プログラムメモリのプロセッサ実行可能命令は、グラフィカルユーザインターフェース（ＧＵＩ）２８を更に含む。ＧＵＩ２８は、ユーザがモバイル装置１０を制御し、且つ／あるいは、別なふうにそれと相互作用することを可能にする。例えば、ＧＵＩ２８は、ユーザが、図３の方法５０を実行するようヘモグロビンモジュール２０の実行をトリガすることを可能にすることができ、且つ／あるいは、ＧＵＩ２８は、ヘモグロビンレベルの推定を表示することができる。他の例として、ＧＵＩ２８は、ユーザが画像において色領域を（例えば、対象の血液として、又はＨｂＣＳ２２に対応するものとして）識別することを可能にすることができる。
【００３６】
ユーザがモバイル装置１０を制御し、且つ／あるいは、別なふうにそれと相互作用することを可能にするよう、ＧＵＩ２８は、例えばアイコン、ウィンドウ、メニュー、等のようなグラフィカル要素を医療装置１０のディスプレイ装置３０においてユーザに表示する。更に、ＧＵＩ２８は、医療装置１０のユーザ入力装置３２を用いてグラフィカル要素を操作し、且つ／あるいは、それと相互作用するユーザ入力を受け取る。
【００３７】
医療装置１０の少なくとも１つのシステムバス３４は、医療装置１０のコンポーネントを相互接続する。それらのコンポーネントは、イメージングシステム１２、プロジェクションシステム１４、プログラムメモリ１８、プロセッサ１６、記憶メモリ２４、ユーザ入力装置３２及びディスプレイ装置３０を含む。それらのコンポーネントは、医療装置１０が外部のシステム及び／又は装置と通信することを可能にする通信ユニット３６（例えば、無線送信器）を更に含むことができる。
【００３８】
図５を参照して、医療装置１０の利用シナリオの例が表されている。表されているように、対象３８の部分（例えば、腕）は、出血している開放創４０を含む。更に、医療装置１０は、創傷４０が医療装置１０のＦＯＶ内にあるように位置付けられている。対象３８のヘモグロビンレベルを推定するための医療装置１０のユーザからのリクエストに応答して、ＨｂＣＳ２２が創傷４０に隣接して投影され、１又はそれ以上の画像が取得される。次いで、画像は、対象３８のヘモグロビンレベルを推定するよう、上述されたように解析される。
【００３９】
一実施形態において、解析は、“アプリケーション（Ａｐｐ）”としてロードされたソフトウェアによって制御されるスマートフォンのプロセッサによって実行される。他の実施形態において、スマートフォン又は同様のものは、血液及びＨｂＣＳ投影のピクチャを評価のために医療専門家へ電子的に送信する。医療専門家は、視覚的に、あるいは、例えば上述されたようにプログラミングされたコンピュータプロセッサにより、ピクチャを解析することができる。他の実施形態において、現場にいる人は、投影されたＨｂＣＳ表示と、直接被害者における、あるいは、カメラによって撮影されてカメラの表示画面上に表示されているピクチャにおける血液との比較に基づき、視覚的に解析を実行する。取得された画像はまた、それらを解析し、ヘモグロビンレベルをモバイルユーザへ折り返し報告することができる、より高い処理能力を持った遠隔のコンピュータサーバへ、送信され得る。
【００４０】
医療装置１０の上記の実施形態は、ＨｂＣＳ２２をイメージングシステム１２のＦＯＶに投影するためにプロジェクションシステム１４を使用するが、他の実施形態においては、プロジェクションシステム１４は使用されない。かかる実施形態において、ヘモグロビンモジュール２０は、画像における対象の血液と最もよく一致するＨｂＣＳ２２の色領域２６ａ〜ｆを見つけるよう試みることによって動作する。ＨｂＣＳ２２は、ＦＯＶにおいて可視的に表示されず、従って、画像において捕捉されない。むしろ、ＨｂＣＳ２２は、医療装置１０の内部にのみ存在する。ＨｂＣＳ２２のうちの最もよく一致する色領域２６ａ〜ｆに関連付けられたヘモグロビンレベルは、対象についてのヘモグロビンの推定として使用される。
【００４１】
ここで使用されるように、メモリは、非一時的なコンピュータ可読媒体；磁気ディスク若しくは他の磁気記憶媒体；光ディスク若しくは他の光記憶媒体；ランダムアクセスメモリ（ＲＡＭ）、読出専用メモリ（ＲＯＭ）、又は他の電子メモリデバイス若しくはチップ若しくは動作上相互接続されたチップの組；記憶された命令がインターネット／イントラネット若しくはローカルエリアネットワークを介して取り出され得るインターネット／イントラネットサーバ、などのうちの１又はそれ以上を含む。更に、ここで使用されるように、プロセッサは、マイクロプロセッサ、マイクロコントローラ、グラフィックプロセッシングユニット（ＧＰＵ）、特定用途向け集積回路（ＡＳＩＣ）、フィールドプログラマブルゲートアレイ（ＦＰＧＡ）、及び同様のもののうちの１又はそれ以上を含み、コントローラは、１）コントローラの機能性を実行するためのプロセッサ実行可能命令を有する少なくとも１つのメモリ、及び２）プロセッサ実行可能命令を実行する少なくとも１つのプロセッサを含み、ディスプレイ装置は、液晶ディスプレイ（ＬＣＤ）、発光ダイオード（ＬＥＤ）ディスプレイ、プラズマディスプレイ、プロジェクションディスプレイ、タッチスクリーンディスプレイ、及び同様のもののうちの１又はそれ以上を含む。
【００４２】
本発明は、好適な実施形態を参照して記載されてきた。変更及び代替は、前述の詳細な説明を読み理解することで当業者に想到され得る。本発明は、全てのそのような変更及び代替を、それらが添付の特許請求の範囲及びその均等の適用範囲内にある限り、包含するものとして解釈されることが意図される。
【図１】
0006356141.tif 000002
【図２】
0006356141.tif 000003
【図３】
0006356141.tif 000004
【図４】
0006356141.tif 000005
【図５】
0006356141.tif 000006